(57)【要約】【課題】３個以上のスピーカを備え、横長表示及び縦長表示が可能であり、９０度回転させて横長表示又は縦長表示の設定に切り替えた場合でも、左右の音声をそれぞれ左右のスピーカから出力することが出来る表示装置の提供。【解決手段】９０度異なる回転位置での表示が可能であり、表示部が表示する映像を横長表示又は縦長表示に切り替え、左右の音声をそれぞれ出力する表示装置。表示部１３を囲むように配置された３個以上のスピーカａ〜ｄと、スピーカａ〜ｄの各位置に応じて、左右の音声の何れかをスピーカａ〜ｄから出力すべく切り替える切替手段２５，３５とを備える構成である。【選択図】        図２
2004364024.tif 000002
【特許請求の範囲】
【請求項１】
９０度異なる回転位置での表示が可能であり、表示部が表示する映像を横長表示又は縦長表示に切り替え、左右の音声をそれぞれ出力する表示装置であって、
前記表示部を囲むように配置された３個以上のスピーカと、該スピーカの各位置に応じて、前記左右の音声の何れかを前記スピーカから出力すべく切り替える切替手段とを備えることを特徴とする表示装置。
【請求項２】
９０度異なる回転位置での表示が可能であり、表示部の回転角度を検出する手段が検出した角度に応じて、前記表示部が表示する映像を横長表示又は縦長表示に切り替え、左右の音声をそれぞれ出力する表示装置であって、
前記画面を囲むように配置された３個以上のスピーカと、前記横長表示又は縦長表示の切り替えに連動し、前記スピーカの各位置に応じて、前記左右の音声の何れかを前記スピーカから出力すべく切り替える切替手段とを備えることを特徴とする表示装置。
【請求項３】
前記スピーカは、前記画面の四隅にそれぞれ配置された４個のスピーカである請求項１又は２記載の表示装置。
【請求項４】
横長表示及び縦長表示の各場合に前記切替手段が切り替えるべき前記スピーカ毎の出力を定めた第１参照テーブルを更に備え、前記切替手段は、該第１参照テーブルに基づき切り替えるべくなしてある請求項１乃至３の何れか１つに記載の表示装置。
【請求項５】
前記切替手段は、前記スピーカと左右対称の位置に他のスピーカが存在しないときは、前記スピーカをオフにすべくなしてある請求項１，２，４の何れか１つに記載の表示装置。
【請求項６】
前記切替手段は、前記左右の音声を合成し、合成した音声の低音部のみを通過させるフィルタ部を有し、前記スピーカと左右対称の位置に他のスピーカが存在しないときは、前記スピーカが、前記フィルタ部を通過した低音部を出力するように切り替えるべくなしてある請求項１，２，４の何れか１つに記載の表示装置。
【請求項７】
前記映像の解像度を検出する解像度検出手段と、前記音声を遅延させる音声遅延回路と、横長表示及び縦長表示の各場合における前記解像度毎の遅延させるべき前記音声の遅延時間を定めた第２参照テーブルとを更に備え、前記音声遅延回路は、前記横長表示又は縦長表示の切り替え、前記解像度検出手段が検出した解像度、及び前記第２参照テーブルに基づき、前記音声を遅延させるべくなしてある請求項１乃至６の何れか１つに記載の表示装置。
【請求項８】
前記左右の音声の信号を外部へ出力する端子を更に備え、前記信号は、前記切替手段の前段から取り出され、前記切替手段により切り替えられないようになしてある請求項１乃至７の何れか１つに記載の表示装置。
【発明の詳細な説明】
【０００１】
【発明の属する技術分野】
本発明は、９０度異なる回転位置での表示が可能であり、表示部が表示する映像を横長表示又は縦長表示に切り替えると共に、左右の音声をそれぞれ出力する表示装置に関するものである。
【０００２】
【従来の技術】
コンピュータと接続し、コンピュータからの映像信号を表示するＬＣＤ（Ｌｉｑｕｉｄ  Ｃｒｙｓｔａｌ  Ｄｉｓｐｌａｙ），ＰＤＰ（Ｐｌａｓｍａ  Ｄｉｓｐｌａｙ  Ｐａｎｅｌ），ＣＲＴ（Ｃａｔｈｏｄｅ  Ｒａｙ  Ｔｕｂｅ），ＥＬＤ（ＥｌｅｃｔｒｏＬｕｍｉｎｅｓｃｅｎｔ  Ｄｉｓｐｌａｙ）等の表示装置は、軽量で設置形態を比較的自由に設定出来るので、９０度異なる回転位置での、横方向に長いランドスケープ表示（横長表示）、及び縦方向に長いポートレート表示（縦長表示）の両方を行うことが可能なものがある。
この場合、表示装置の走査方向が９０度変わるので、映像信号を表示する際の走査方向も、映像の上下左右関係を変えることなく、９０度変換（縦横変換）させる。
【０００３】
【特許文献１】
特開平１０−２４０１４０号公報
【特許文献２】
特開平０７−０３０８３４号公報
【特許文献３】
特開２００２−０７８０７３号公報
【特許文献４】
特開平０５−０７３０１１号公報
【０００４】
【発明が解決しようとする課題】
従来のランドスケープ表示及びポートレート表示が可能な表示装置では、例えば、図３（ａ）に示すように、ランドスケープ表示を行い、四隅に配置されたスピーカａ，ｂ，ｃ，ｄにより左右の音声を出力する設定から、９０度回転させてポートレート表示に設定を切り替えた場合、左右の音声はそれぞれ上下に位置するスピーカａ，ｂ，ｃ，ｄから出力されることになるという問題がある。
【０００５】
このような問題に関係する技術としては、特許文献１の請求項１には、縦長画面状態にある表示面の画面中心と、横長画面状態にある表示面の画面中心とが異なるように、表示部の回転中心を設定し、表示の前面の３隅に、スピーカをそれぞれ配設した薄型ディスプレイ装置が記載されている。
特許文献２には、平面ディスプレイの周囲に装着される枠部材と、同枠部材を平面ディスプレイの４隅部で相互に接続するためのコーナー部連結具と、同コーナー部連結具内部に収納されるスピーカとからなる平面ディスプレイ装置が記載されている。
【０００６】
特許文献３には、本体の左右に左右のスピーカボックスを前後方向に回動可能に設け、左右のスピーカボックスの双方が後方へ９０°以上回動したときに、左右のチャンネルを入れ替えるオールインワンオーディオセットが記載されている。
特許文献４には、表示ユニットの回転と連動する可変抵抗器の抵抗値に基づき、表示ユニットの縦長状態と横長状態を検出し、検出した状態に応じて縦長又は横長の表示画面を表示ユニットに表示させる情報処理装置が記載されている。
【０００７】
本発明は、上述したような事情に鑑みてなされたものであり、３個以上のスピーカを備え、横長表示及び縦長表示が可能であり、９０度回転させて横長表示又は縦長表示の設定に切り替えた場合でも、左右の音声をそれぞれ左右のスピーカから出力することが出来る表示装置を提供することを目的とする。
【０００８】
【課題を解決するための手段】
第１発明に係る表示装置は、９０度異なる回転位置での表示が可能であり、表示部が表示する映像を横長表示又は縦長表示に切り替え、左右の音声をそれぞれ出力する表示装置であって、前記表示部を囲むように配置された３個以上のスピーカと、該スピーカの各位置に応じて、前記左右の音声の何れかを前記スピーカから出力すべく切り替える切替手段とを備えることを特徴とする。
【０００９】
この表示装置では、９０度異なる回転位置での表示が可能であり、表示部が表示する映像を横長表示又は縦長表示に切り替え、左右の音声をそれぞれ出力する。３個以上のスピーカが、表示部を囲むように配置され、切替手段が、スピーカの各位置に応じて、左右の音声の何れかをスピーカから出力するように切り替える。
これにより、３個以上のスピーカを備え、横長表示及び縦長表示が可能であり、９０度回転させて横長表示又は縦長表示の設定に切り替えた場合でも、左右の音声をそれぞれ左右のスピーカから出力することが出来る表示装置を実現することが出来る。
【００１０】
第２発明に係る表示装置は、９０度異なる回転位置での表示が可能であり、表示部の回転角度を検出する手段が検出した角度に応じて、前記表示部が表示する映像を横長表示又は縦長表示に切り替え、左右の音声をそれぞれ出力する表示装置であって、前記画面を囲むように配置された３個以上のスピーカと、前記横長表示又は縦長表示の切り替えに連動し、前記スピーカの各位置に応じて、前記左右の音声の何れかを前記スピーカから出力すべく切り替える切替手段とを備えることを特徴とする。
【００１１】
この表示装置では、９０度異なる回転位置での表示が可能であり、表示部の回転角度を検出する手段が検出した角度に応じて、表示部が表示する映像を横長表示又は縦長表示に切り替え、左右の音声をそれぞれ出力する。３個以上のスピーカが画面を囲むように配置され、切替手段が、横長表示又は縦長表示の切り替えに連動し、スピーカの各位置に応じて、左右の音声の何れかをスピーカから出力するように切り替える。
これにより、３個以上のスピーカを備え、横長表示及び縦長表示が可能であり、９０度回転させて横長表示又は縦長表示の設定に切り替えた場合でも、ユーザの操作を必要とせずに、左右の音声をそれぞれ左右のスピーカから出力することが出来る表示装置を実現することが出来る。
【００１２】
第３発明に係る表示装置は、前記スピーカは、前記画面の四隅にそれぞれ配置された４個のスピーカであることを特徴とする。
【００１３】
この表示装置では、スピーカは、画面の四隅にそれぞれ配置された４個のスピーカであるので、４個のスピーカを備え、横長表示及び縦長表示が可能であり、９０度回転させて横長表示又は縦長表示の設定に切り替えた場合でも、左右の音声をそれぞれ左右のスピーカから出力することが出来る表示装置を実現することが出来る。
【００１４】
第４発明に係る表示装置は、横長表示及び縦長表示の各場合に前記切替手段が切り替えるべき前記スピーカ毎の出力を定めた第１参照テーブルを更に備え、前記切替手段は、該第１参照テーブルに基づき切り替えるべくなしてあることを特徴とする。
【００１５】
この表示装置では、横長表示及び縦長表示の各場合に切替手段が切り替えるべきスピーカ毎の出力を定めた第１参照テーブルを更に備え、切替手段は、第１参照テーブルに基づき切り替えるので、３個以上のスピーカを備え、横長表示及び縦長表示が可能であり、９０度回転させて横長表示又は縦長表示の設定に切り替えた場合でも、ユーザの操作を必要とせずに、左右の音声をそれぞれ左右のスピーカから出力することが出来る表示装置を実現することが出来る。
【００１６】
第５発明に係る表示装置は、前記切替手段は、前記スピーカと左右対称の位置に他のスピーカが存在しないときは、前記スピーカをオフにすべくなしてあることを特徴とする。
【００１７】
この表示装置では、切替手段は、スピーカと左右対称の位置に他のスピーカが存在しないときは、そのスピーカをオフにするので、画面の四隅以外に配置されたものを含む３個以上のスピーカを備え、横長表示及び縦長表示が可能であり、９０度回転させて横長表示又は縦長表示の設定に切り替えた場合でも、左右の音声をそれぞれ左右のスピーカから出力することが出来る表示装置を実現することが出来る。
【００１８】
第６発明に係る表示装置は、前記切替手段は、前記左右の音声を合成し、合成した音声の低音部のみを通過させるフィルタ部を有し、前記スピーカと左右対称の位置に他のスピーカが存在しないときは、前記スピーカが、前記フィルタ部を通過した低音部を出力するように切り替えるべくなしてあることを特徴とする。
【００１９】
この表示装置では、切替手段は、フィルタ部が、左右の音声を合成し、合成した音声の低音部のみを通過させ、スピーカと左右対称の位置に他のスピーカが存在しないときは、そのスピーカが、フィルタ部を通過した低音部を出力するように切り替える。
これにより、画面の四隅以外に配置されたものを含む３個以上のスピーカを備え、横長表示及び縦長表示が可能であり、９０度回転させて横長表示又は縦長表示の設定に切り替えた場合でも、左右の音声をそれぞれ左右のスピーカから出力することが出来ると共に、左右の音声の指向性が小さく小型スピーカでは不足し勝ちな低音部を補強することが出来る表示装置を実現することが出来る。
【００２０】
第７発明に係る表示装置は、前記映像の解像度を検出する解像度検出手段と、前記音声を遅延させる音声遅延回路と、横長表示及び縦長表示の各場合における前記解像度毎の遅延させるべき前記音声の遅延時間を定めた第２参照テーブルとを更に備え、前記音声遅延回路は、前記横長表示又は縦長表示の切り替え、前記解像度検出手段が検出した解像度、及び前記第２参照テーブルに基づき、前記音声を遅延させるべくなしてあることを特徴とする。
【００２１】
この表示装置では、解像度検出手段が映像の解像度を検出し、第２参照テーブルが、横長表示及び縦長表示の各場合における解像度毎の遅延させるべき音声の遅延時間を定めてある。音声遅延回路は、横長表示又は縦長表示の切り替え、解像度検出手段が検出した解像度、及び第２参照テーブルに基づき、音声を遅延させる。
これにより、３個以上のスピーカを備え、横長表示及び縦長表示が可能であり、９０度回転させて横長表示又は縦長表示の設定に切り替えた場合でも、左右の音声をそれぞれ左右のスピーカから出力することが出来ると共に、映像信号の処理時間の為に映像が音声より遅れる現象を解消することが可能な表示装置を実現することが出来る。
【００２２】
第８発明に係る表示装置は、前記左右の音声の信号を外部へ出力する端子を更に備え、前記信号は、前記切替手段の前段から取り出され、前記切替手段により切り替えられないようになしてあることを特徴とする。
【００２３】
この表示装置では、左右の音声の信号を外部へ出力する端子を更に備え、外部へ出力する左右の音声の信号は、切替手段の前段から取り出され、切替手段により切り替えられない。
これにより、３個以上のスピーカを備え、横長表示及び縦長表示が可能であり、９０度回転させて横長表示又は縦長表示の設定に切り替えた場合でも、左右の音声をそれぞれ左右のスピーカから出力することが出来ると共に、横長表示及び縦長表示の切り替えに関係しないヘッドホン及び外部スピーカの音声は変化しない表示装置を実現することが出来る。
【００２４】
【発明の実施の形態】
以下に、本発明の実施の形態を、それを示す図面に基づき説明する。
実施の形態１．
図１は、本発明に係る表示装置の実施の形態１の構成を示すブロック図である。この表示装置は、入力された映像信号のサイズ（解像度）を検出する映像サイズ検出部１１（解像度検出手段）と、映像サイズ検出部１１を通じて映像信号が与えられ、設定に応じて、与えられた映像信号を表示する際の走査方向を、映像の上下左右関係を変えることなく、９０度変換（縦横変換）する縦横変換回路１２と、縦横変換回路１２が出力した映像信号を表示するＬＣＤ１３（Ｌｉｑｕｉｄ  Ｃｒｙｓｔａｌ  Ｄｉｓｐｌａｙ）（表示部）とを備えている。
【００２５】
この表示装置は、また、ＬＣＤ１３の回転角度を検出する表示部角度検出部１５と、表示部角度検出部１５が検出した回転角度に応じて、ランドスケープ表示（横長表示）及びポートレート表示（縦長表示）の何れかに設定し、その設定信号を縦横変換回路１２へ与える縦横表示設定部１４と、ランドスケープ表示及びポートレート表示の各場合における、映像信号の解像度毎の遅延させるべき音声の遅延時間を定めた遅延時間テーブル１８（第２参照テーブル）と、映像サイズ検出部１１が検出した解像度、縦横表示設定部１４からの設定信号及び遅延時間テーブル１８に基づき、入力された左右の音声信号を遅延させ、遅延させた左右の音声信号を出力する音声遅延回路１７とを備えている。
【００２６】
遅延時間テーブル１８は、図４に示すようなイメージであり、ランドスケープ表示（横長表示）である場合の入力映像信号ＶＧＡ，ＳＶＧＡ，ＸＧＡ，ＳＸＧＡにおける音声を遅延させるべき時間Ｔａ，Ｔｂ，Ｔｃ，Ｔｄ、及びポートレート表示である場合の入力映像ＶＧＡ，ＳＶＧＡ，ＸＧＡ，ＳＸＧＡにおける音声を遅延させるべき時間Ｔｅ，Ｔｆ，Ｔｇ，Ｔｈが書き込まれている。
解像度（画素数）が大きい程、また、ポートレート表示の方が、映像信号の処理に時間が掛かる為、Ｔａ＜Ｔｂ＜Ｔｃ＜Ｔｄ，Ｔｅ＜Ｔｆ＜Ｔｇ＜Ｔｈ，Ｔａ＜Ｔｅ，Ｔｂ＜Ｔｆ，Ｔｃ＜Ｔｇ，Ｔｄ＜Ｔｈとなる。
尚、ランドスケープ表示の場合、遅延時間は短い為、Ｔａ〜Ｔｄ＝０としても良い。
【００２７】
この表示装置は、また、横長表示及び縦長表示の各場合に、ＬＣＤ１３の四隅に配置されたスピーカａ，ｂ，ｃ，ｄがそれぞれ出力すべき音声を定めた、図３（ｂ）に示すようなイメージの切替テーブル１９（第１参照テーブル）と、表示部角度検出部１５が検出した回転角度、縦横表示設定部１４からの設定信号及び切替テーブル１９に基づき、音声遅延回路１７から与えられた左右の音声信号を、スピーカａ，ｂ，ｃ，ｄにそれぞれ切り替え出力する出力切替回路１６と、音声遅延回路１７が出力した左右の音声信号を外部へ出力する為の音声外部出力端子２０とを備えている。
【００２８】
図２は、出力切替回路１６の構成例を示すブロック図である。出力切替回路１６は、入力された左音声を増幅する増幅器２１と、入力された右音声を増幅する増幅器２２と、増幅器２１，２２がそれぞれ出力した音声信号を外部へ出力するヘッドホンジャック２３と、ヘッドホンジャック２３にヘッドホンプラグが挿入された場合に、スピーカａ，ｂ，ｃ，ｄへの音声信号を遮断する為の接点２４と、後述する切替制御部３５からの切替信号により、スピーカａ，ｂ，ｃ，ｄへの左右の音声信号を切り替える切替部２５と、表示部角度検出部１５からの回転角度信号、縦横表示設定部１４からの設定信号及び切替テーブル１９に基づき、切替部２５の各接点を切り替え制御する切替制御部３５とを備えている。
【００２９】
切替部２５は、ランドスケープ表示の場合にＬＣＤ１３の左上に配置され、ポートレート表示の場合にＬＣＤ１３の右上に配置されるスピーカａと増幅器２２とを接続する接点２６と、スピーカａと増幅器２１とを接続する接点２７と、ランドスケープ表示の場合にＬＣＤ１３の右下に配置され、ポートレート表示の場合にＬＣＤ１３の左下に配置されるスピーカｄと増幅器２１とを接続する接点２８と、スピーカｄと増幅器２２とを接続する接点２９とを備えている。
【００３０】
ランドスケープ表示の場合にＬＣＤ１３の左下に配置され、ポートレート表示の場合にＬＣＤ１３の左上に配置されるスピーカｂは、切替部２５内の接点を介さずに増幅器２１に接続されている。
ランドスケープ表示の場合にＬＣＤ１３の右上に配置され、ポートレート表示の場合にＬＣＤ１３の右下に配置されるスピーカｃは、切替部２５内の接点を介さずに増幅器２２に接続されている。
【００３１】
以下に、このような構成の表示装置の動作の例を説明する。
この表示装置は、例えば、ユーザがＬＣＤ１３を右回りに９０度回転させ、図３（ａ）に示すように、ランドスケープ表示からポートレート表示へ切り替える場合、表示部角度検出部１５が、その回転角度を検出し、その回転角度信号を縦横表示設定部１４及び出力切替回路１６へ与える。縦横表示設定部１４は、与えられた回転角度信号に基づき、ランドスケープ表示の設定からポートレート表示の設定に切り替え、ポートレート表示の設定信号を縦横変換回路１２、音声遅延回路１７及び出力切替回路１５に与える。
【００３２】
縦横変換回路１２は、ポートレート表示の設定信号を与えられて、映像信号をポートレート表示の映像信号に縦横変換し、ＬＣＤ１３に出力する。
音声遅延回路１７は、映像サイズ検出部１１が検出した解像度のポートレート表示の場合の遅延時間を、遅延時間テーブル１８を参照して読み出し、読み出した遅延時間に基づき、入力された音声信号を遅延させて出力する。
【００３３】
出力切替回路１６は、切替制御部３５が、表示部角度検出部１５からの回転角度信号及び縦横表示設定部１４からの設定信号により、切替テーブル１９を参照し、切替テーブル１９に基づく切替信号を切替部２５へ与える。
切替部２５は、与えられた切替信号により、スピーカａと増幅器２２（右音声）とを接続する接点２６をオンにし、スピーカａと増幅器２１（左音声）とを接続する接点２７をオフにする。また、スピーカｄと増幅器２１（左音声）とを接続する接点２８をオンにし、スピーカｄと増幅器２２（右音声）とを接続する接点２９をオフにする。
【００３４】
その結果、ランドスケープ表示の場合の、スピーカａ，ｂから左音声が、スピーカｃ，ｄから右音声がそれぞれ出力される状態から、ポートレート表示の場合の、スピーカｂ，ｄから左音声が、スピーカａ，ｃから右音声がそれぞれ出力される状態に切り替えらる。これにより、左右の音声は、ポートレート表示に切り替えられる前と同様にそれぞれ左右から出力され、また、映像の音声からの遅れも生じない。
但し、左右の音声の信号を外部へ出力する端子であるヘッドホンジャック２３及び音声外部出力端子２０からの音声信号の左右は切り替わらない。
【００３５】
尚、上述した実施の形態１では、表示部角度検出部１５がＬＣＤ１３の回転角度を検出して、ランドスケープ表示及びポートレート表示を自動的に切り替え、左右の音声出力を自動的に切り替えるように構成してあるが、表示部角度検出部１５に代えて、ＯＳＤ（Ｏｎ  Ｓｃｒｅｅｎ  Ｄｉｓｐｌａｙ）制御部を設け、ユーザが、ＬＣＤ１３の画面上で操作することにより、ランドスケープ表示及びポートレート表示を手動で切り替え、左右音声の出力切り替えをそれに連動させても良いし、ＯＳＤ操作により左右の音声出力を手動で切り替えるように構成しても良い。
【００３６】
実施の形態２．
図５（ａ）は、本発明に係る表示装置の実施の形態２の動作の例を示す説明図である。この表示装置では、ＬＣＤ１３の上下左右の各辺中央部にスピーカｅ，ｆ，ｇ，ｈが配置され、ランドスケープ表示及びポートレート表示の各場合に、スピーカｅ，ｆ，ｇ，ｈがそれぞれ出力すべき音声を定めた切替テーブル１９（第１参照テーブル）
（図１）は、図５（ｂ）に示すようなイメージとなっている。この表示装置のその他の構成例は、後述する出力切替回路１６ａの構成以外は、実施の形態１の表示装置の構成（図１）と同様であるので、出力切替回路１６ａ以外の説明は省略する。
【００３７】
図６は、この表示装置の出力切替回路１６ａの構成例を示すブロック図である。出力切替回路１６ａは、入力された左音声を増幅する増幅器２１と、入力された右音声を増幅する増幅器２２と、増幅器２１，２２がそれぞれ出力した音声信号を外部へ出力するヘッドホンジャック２３と、ヘッドホンジャック２３にヘッドホンプラグが挿入された場合に、スピーカｅ，ｆ，ｇ，ｈへの音声信号を遮断する為の接点２４とを備えている。
【００３８】
出力切替回路１６ａは、また、接点２４のＬＣＤ１３側から増幅器２１，２２の各出力が与えられ、与えられた各出力を合成した後、その低音部のみを通過させ出力するフィルタ部３０（ローパスフィルタ；ＬＰＦ）と、後述する切替制御部３５からの切替信号により、スピーカｅ，ｆ，ｇ，ｈへの左右の音声信号を切り替える切替部２５ａと、表示部角度検出部１５からの回転角度信号、縦横表示設定部１４からの設定信号及び切替テーブル１９に基づき、切替部２５ａの各接点を切り替え制御する切替制御部３５とを備えている。
【００３９】
切替部２５ａは、ランドスケープ表示の場合にＬＣＤ１３の左辺中央部に配置され、ポートレート表示の場合にＬＣＤ１３の上辺中央部に配置されるスピーカｇを、増幅器２１又はフィルタ部３０に切り替え接続する切替接点３１と、ランドスケープ表示の場合にＬＣＤ１３の下辺中央部に配置され、ポートレート表示の場合にＬＣＤ１３の左辺中央部に配置されるスピーカｆを、増幅器２１又はフィルタ部３０に切り替え接続する切替接点３２とを備えている。
【００４０】
切替部２５ａは、また、ランドスケープ表示の場合にＬＣＤ１３の右辺中央部に配置され、ポートレート表示の場合にＬＣＤ１３の下辺中央部に配置されるスピーカｈを、増幅器２２又はフィルタ部３０に切り替え接続する切替接点３３と、ランドスケープ表示の場合にＬＣＤ１３の上辺中央部に配置され、ポートレート表示の場合にＬＣＤ１３の右辺中央部に配置されるスピーカｅを、増幅器２２又はフィルタ部３０に切り替え接続する切替接点３４とを備えている。
【００４１】
以下に、このような構成の表示装置の動作を説明する。
この表示装置では、出力切替回路１６ａは、切替制御部３５が、表示部角度検出部１５からの回転角度信号及び縦横表示設定部１４からの設定信号により、切替テーブル１９を参照し、切替テーブル１９に基づく切替信号を切替部２５ａへ与える。
【００４２】
切替部２５は、与えられた切替信号に基づき、切替接点３１により、スピーカｇの接続先を増幅器２１（左音声）からフィルタ部３０（低音部）に切り替え、切替接点３２により、スピーカｆの接続先をフィルタ部３０（低音部）から増幅器２１（左音声）に切り替える。また、切替接点３３により、スピーカｈの接続先を増幅器２２（右音声）からフィルタ部３０（低音部）に切り替え、切替接点３４により、スピーカｅの接続先をフィルタ部３０（低音部）から増幅器２２（右音声）に切り替える。
【００４３】
その結果、ランドスケープ表示の場合の、スピーカｇから左音声が、スピーカｈから右音声が、スピーカｅ，ｆから低音部がそれぞれ出力される状態から、ポートレート表示の場合の、スピーカｆから左音声が、スピーカｅから右音声が、スピーカｇ，ｈから低音部がそれぞれ出力される状態に切り替えられる。これにより、左右の音声は、ポートレート表示に切り替えられる前と同様にそれぞれ左右から出力され、また、音声の低音部も補強されて出力される。その他の動作は、実施の形態１で説明した表示装置の動作と同様であるので、説明を省略する。尚、上述した実施の形態において、切替接点３１，３２，３３，３４によりスピーカｅ，ｆ，ｇ，ｈをそれぞれフィルタ部３０に接続する代わりに、切替接点３１，３２，３３，３４をそれぞれオフにしても良い。
【００４４】
上述した各実施の形態では、表示装置がスピーカを４個備える場合を説明したが、スピーカを３個備える場合にも、本発明を適用することが出来る。例えば、
図７（ａ）は、ランドスケープ表示の場合に、ＬＣＤ１３の右上隅、右下隅、左下隅に、それぞれスピーカｑ，ｒ，ｐが配置された場合である。ランドスケープ表示及びポートレート表示の各場合に、スピーカｑ，ｒ，ｐがそれぞれ出力すべき音声を定めた切替テーブルは、図７（ｂ）に示すようなイメージとなっている。
【００４５】
このような表示装置では、実施の形態１，２と類似した構成により、ランドスケープ表示の場合の、スピーカｐから左音声が、スピーカｒから右音声がそれぞれ出力され、スピーカｑがオフである状態から、ポートレート表示の場合の、スピーカｒから左音声が、スピーカｑから右音声がそれぞれ出力され、スピーカｐがオフである状態に切り替えられる。これにより、左右の音声は、ポートレート表示に切り替えられる前と同様にそれぞれ左右から出力され、音声のアンバランスも生じない。
【００４６】
また、図８（ａ）は、ランドスケープ表示の場合に、ＬＣＤ１３の左上隅、左下隅、右下隅に、それぞれスピーカｊ，ｋ，ｍが配置された場合である。ランドスケープ表示及びポートレート表示の各場合に、スピーカｊ，ｋ，ｍがそれぞれ出力すべき音声を定めた切替テーブルは、図８（ｂ）に示すようなイメージとなっている。
【００４７】
このような表示装置では、実施の形態１，２と類似の構成により、ランドスケープ表示の場合の、スピーカｋから左音声が、スピーカｍから右音声がそれぞれ出力され、スピーカｊがオフである状態から、ポートレート表示の場合の、スピーカｋから左音声が、スピーカｊから右音声がそれぞれ出力され、スピーカｍがオフである状態に切り替えられる。これにより、左右の音声は、ポートレート表示に切り替えられる前と同様にそれぞれ左右から出力され、音声のアンバランスも生じない。
【００４８】
【発明の効果】
第１発明に係る表示装置によれば、３個以上のスピーカを備え、横長表示及び縦長表示が可能であり、９０度回転させて横長表示又は縦長表示の設定に切り替えた場合でも、左右の音声をそれぞれ左右のスピーカから出力することが出来る表示装置を実現することが出来る。
【００４９】
第２発明に係る表示装置によれば、３個以上のスピーカを備え、横長表示及び縦長表示が可能であり、９０度回転させて横長表示又は縦長表示の設定に切り替えた場合でも、ユーザの操作を必要とせずに、左右の音声をそれぞれ左右のスピーカから出力することが出来る表示装置を実現することが出来る。
【００５０】
第３発明に係る表示装置によれば、４個のスピーカを備え、横長表示及び縦長表示が可能であり、９０度回転させて横長表示又は縦長表示の設定に切り替えた場合でも、左右の音声をそれぞれ左右のスピーカから出力することが出来る表示装置を実現することが出来る。
【００５１】
第４発明に係る表示装置によれば、３個以上のスピーカを備え、横長表示及び縦長表示が可能であり、９０度回転させて横長表示又は縦長表示の設定に切り替えた場合でも、ユーザの操作を必要とせずに、左右の音声をそれぞれ左右のスピーカから出力することが出来る表示装置を実現することが出来る。
【００５２】
第５発明に係る表示装置によれば、画面の四隅以外に配置されたものを含む３個以上のスピーカを備え、横長表示及び縦長表示が可能であり、９０度回転させて横長表示又は縦長表示の設定に切り替えた場合でも、左右の音声をそれぞれ左右のスピーカから出力することが出来る表示装置を実現することが出来る。
【００５３】
第６発明に係る表示装置によれば、画面の四隅以外に配置されたものを含む３個以上のスピーカを備え、横長表示及び縦長表示が可能であり、９０度回転させて横長表示又は縦長表示の設定に切り替えた場合でも、左右の音声をそれぞれ左右のスピーカから出力することが出来ると共に、左右の音声の指向性が小さく小型スピーカでは不足し勝ちな低音部を補強することが出来る表示装置を実現することが出来る。
【００５４】
第７発明に係る表示装置によれば、３個以上のスピーカを備え、横長表示及び縦長表示が可能であり、９０度回転させて横長表示又は縦長表示の設定に切り替えた場合でも、左右の音声をそれぞれ左右のスピーカから出力することが出来ると共に、映像信号の処理時間の為に映像が音声より遅れる現象を解消することが可能な表示装置を実現することが出来る。
【００５５】
第８発明に係る表示装置によれば、３個以上のスピーカを備え、横長表示及び縦長表示が可能であり、９０度回転させて横長表示又は縦長表示の設定に切り替えた場合でも、左右の音声をそれぞれ左右のスピーカから出力することが出来ると共に、横長表示及び縦長表示の切り替えに関係しないヘッドホン及び外部スピーカの音声は変化しない表示装置を実現することが出来る。
【図面の簡単な説明】
【図１】本発明に係る表示装置の実施の形態の構成を示すブロック図である。
【図２】本発明に係る表示装置の出力切替回路の構成例を示すブロック図である。
【図３】本発明に係る表示装置の動作例を示す説明図である。
【図４】本発明に係る表示装置の遅延時間テーブルのイメージを示す説明図である。
【図５】本発明に係る表示装置の動作例を示す説明図である。
【図６】本発明に係る表示装置の出力切替回路の構成例を示すブロック図である。
【図７】本発明に係る表示装置の動作例を示す説明図である。
【図８】本発明に係る表示装置の動作例を示す説明図である。
【符号の説明】
１１  映像サイズ検出部（解像度検出手段）
１２  縦横変換回路
１３  ＬＣＤ（Ｌｉｑｕｉｄ  Ｃｒｙｓｔａｌ  Ｄｉｓｐｌａｙ）（表示部）
１４  縦横表示設定部
１５  表示部角度検出部（回転角度を検出する手段）
１６，１６ａ  出力切替回路（切替手段）
１７  音声遅延回路
１８  遅延時間テーブル（第２参照テーブル）
１９  切替テーブル（第１参照テーブル）
２０  音声外部出力端子（左右の音声の信号を外部へ出力する端子）
２１，２２増幅器
２３  ヘッドホンジャック（左右の音声の信号を外部へ出力する端子）
２５，２５ａ  切替部（切替手段）
２６〜２９  接点
３０  フィルタ部（ローパスフィルタ；ＬＰＦ）
３１〜３４  切替接点
３５  切替制御部
ａ〜ｈ，ｊ，ｋ，ｍ，ｐ，ｑ，ｒ  スピーカ
【図１】
2004364024.tif 000003
【図２】
2004364024.tif 000004
【図３】
2004364024.tif 000005
【図４】
2004364024.tif 000006
【図５】
2004364024.tif 000007
【図６】
2004364024.tif 000008
【図７】
2004364024.tif 000009
【図８】
2004364024.tif 000010